(57)【特許請求の範囲】
【請求項１】
天井部から吊下げられ、垂直方向に長い基板部、この基板部の下端部から横方向に屈曲形成される受板部、及びこの受板部からさらに上方に屈曲形成される側板部を有するハンガー、に嵌入支持される野縁受であって、
上記ハンガーの基板部又は側板部に接する上側の立上部と、
この上側の立上部の上端部から、水平方向に屈曲形成される上板部と、
上記上板部の先端部から下方向きに形成され、上記ハンガーの側板部又は基板部に接する上端縁部と、
上記上側の立上部の下部から上記上端縁部の下方側に向けて、斜め下向に形成される傾斜部と、
この傾斜部の下部に形成され、上記ハンガーの側板部又は基板部に接する下側の立上部と、
この下側の立上部の下端部から、上記上板部と逆向の水平方向に屈曲形成される下板部と、
上記下板部の先端部から上方向きに形成され、上記ハンガーの基板部又は側板部に接する下端縁部と、を有することを特徴とする天井下地材の野縁受。
【請求項２】
上記傾斜部の傾斜角度を水平から４５度以上に形成したことを特徴とする請求項１に記載の天井下地材の野縁受。
【発明の詳細な説明】
【０００１】
【発明の属する技術分野】
本発明は、天井下地材に用いられる天井下地材の野縁受に関する。
【０００２】
【従来の技術】
従来、天井下地材の野縁受としては、建築用鋼製下地材のＪＩＳ  Ａ６５１７規格に示されるように、断面コの字形状のもの（ＣＣ−１９）、またこのコの字形状の野縁受の上下端部を内側に屈曲形成した断面Ｃの字状の野縁受がある。
【０００３】
野縁受の品質を評価する場合、ＪＩＳ  Ａ６５１７規格では、図１０に示す下向き荷重試験によって行われる。この試験では、吊ボルト５１を用いて平行に野縁受５２を架設し、この野縁受５２にクリップを用いてシングル野縁５３を取付け、野縁受５２の上部に足場板５４（１２００×４００×２４ｍｍの合板）を載置する。そして、この足場板５４の上に７３５．５０Ｎ（７５ｋｇｆ）の荷重をかけたとき、野縁受５２の吊ボルト５１間中央の最大たわみ量及び残留たわみ量を測定する。この試験に用いる野縁受（ＣＣ−１９）は、断面コの字形状で板厚は１．２ｍｍである。
【０００４】
測定は野縁受５２を２本について行い、いずれか大きな値をとる。規定に適合する野縁受の載荷強さは、最大たわみ量が５ｍｍ以下であり、かつ、上述した７３５．５０Ｎ（７５ｋｇｆ）の荷重を取り除いたときの残留たわみ量が２ｍｍ以下となる性能が要求されている。この規定には、天井裏で作業を行う場合、足場板を野縁受に渡して作業することがあり、このとき７３５．５０Ｎ（７５ｋｇｆ）の荷重を取り除いたとき、野縁受の残留たわみ量が少なく充分な復元力をもっていることが背景にある。
【０００５】
【発明が解決しようとする課題】
さて、上記規格とは別に一般市場においては、板厚が１．０ｍｍもしくは０．９ｍｍ等、製品コスト及び軽量化等の点で、ＪＩＳ規格の野縁受と比べて板厚を薄くした野縁受が一般品として出回っている。このような板厚の薄い野縁受では、上記荷重試験を行った場合、板厚の関係で上記規格を満足する結果は得られない。しかし、市場においては、製品コストの削減、或いは軽量化の要望が根強い。
【０００６】
本発明は、上記問題点に鑑みてなされたものであり、強度が維持され、経済性にも優れるとともに製品の軽量化、省資源化が図れる天井下地材の野縁受を提供することを課題としている。
【０００７】
【課題を解決するための手段】
以上の技術的課題を解決するため、本発明に係る天井下地材の野縁受は、図１及び図２に示すように、天井部から吊下げられ、垂直方向に長い基板部２１、この基板部の下端部から横方向に屈曲形成される受板部２２、及びこの受板部からさらに上方に屈曲形成される側板部２３を有するハンガー２、に嵌入支持される野縁受であって、上記ハンガー２の基板部２１又は側板部２３に接する上側の立上部１１と、この上側の立上部１１の上端部から、水平方向に屈曲形成される上板部１２と、上記上側の立上部の下部から上記上板部の下方側に屈曲して、斜め下向に形成される傾斜部１３と、この傾斜部の下部に形成され、上記ハンガー２の側板部２３又は基板部２１に接する下側の立上部１４と、この下側の立上部１４の下端部から、上記上板部と逆向の水平方向に屈曲形成される下板部１５と、を有するものである。
【０００８】
また、本発明に係る天井下地材の野縁受は、上記上板部の先端部から下方向きに上端縁部１６を、上記下板部の先端部から上方向きに下端縁部１７を設けたものである。
【０００９】
これに加えて、本発明に係る天井下地材の野縁受は、上記傾斜部１３の傾斜角度を水平から４５度以上に形成したものである。
【００１０】
【発明の実施の形態】
以下本発明の実施の形態に係る天井下地材の野縁受を図面に基づいて説明する。図１は、上記野縁受１の側面図を示したものであり、この野縁受１は鋼板を屈曲成形したものであり、略Ｚ形状をしている。
【００１１】
野縁受１は、垂直方向に形成される上側の立上部１１、この上側の立上部１１の上端部から、前方向に水平状に屈曲形成される上板部１２、上記上側の立上部１１の下部から屈曲して、前方斜め下方向に傾斜する傾斜部１３、この傾斜部１３の下部から下方垂直方向に形成される下側の立上部１４、及び下側の立上部１４の下端部から、後方向に水平状に屈曲形成される下板部１５を有し、上記上板部１２の先端部から下方垂直方向に上端縁部１６が、上記下板部１５の先端部から上方垂直方向に下端縁部１７がそれぞれ設けられている。
【００１２】
上記傾斜部１３は、水平から略５０度の角度を有している。また、上記野縁受１の上板部１２及び下板部１５は、下記ハンガー２の受板部２２の内寸より僅かに短い長さを有している。
【００１３】
上記野縁受１は、図２に示すように、天井スラブ等の天井部から吊下げられるハンガー２に嵌入支持される。このハンガー２は、天井スラブから吊下げられた吊ボルト３にナット４等により高さ調整可能に吊り下げられている。このハンガー２は鋼板を屈曲成形したものであり、垂直方向に長い基板部２１、この基板部２１の下端部から前方に水平に屈曲形成される受板部２２、この受板部２２からさらに上方垂直方向に屈曲形成される側板部２３、及び基板部２１の上端から後方に屈曲する支持部２４を有している。
【００１４】
このように上記ハンガー２は、基板部２１、受板部２２及び側板部２３によって断面Ｕ字形状に形成され、上向の開口部２７を有する。さらにハンガー２の側板部２３の上部を、緩く後側に屈曲して係止部２５を形成し、さらに前側斜め上方に屈曲してスライド部２６を形成している。上記吊ボルト３にハンガー２の支持部２４を挿通させ、支持部２４の上下側からナット４を用いてハンガー２を固定する。
【００１５】
野縁受１をハンガー２に装着する場合には、開口部２７からスライド部２６を利用して野縁受１を押し込み、野縁受１の下板部１５がハンガー２の受板部２２に当接する位置で、野縁受１の上端部が側板部２３の係止部２５に係止され、ハンガー２の断面Ｕ字形状の内部に野縁受１を嵌入保持する。この状態で、野縁受１の上側立上部１１及び下端縁部１７はハンガー２の基板部２１に接する一方、野縁受１の下側立上部１４及び上端縁部１６はハンガー２の側板部２３に当接する。
【００１６】
なお、図３に示すように、ハンガー２の前後の向きを変えて、野縁受１を嵌入保持することとしても、作用効果は上記もとの向きの場合と同様である。この場合、野縁受１の下側立上部１４及び上端縁部１６はハンガー２の基板部２１に接し、一方、野縁受１の上側立上部１１及び下端縁部１７はハンガー２の側板部２３に当接する。
【００１７】
上記野縁受１を用いて天井構造を構築する場合には、所定の間隔をおいて平行な位置に吊ボルト３をハンガー２を取付けて設置し、ナット４によってハンガー２の高さを調節する。そして、ハンガー２に野縁受１を嵌入してハンガー２間に野縁受１を架設する。
【００１８】
さらに、図４に示すように、クリップ７を用いて野縁受１と直交する状態に野縁材５を設置する。このクリップ７には、基板の下部に野縁材５を係止する係止部２８が設けられ、また基板の上部には野縁受１に引っ掛ける掛止部２９を有している。野縁材５は断面Ｃ字状の長尺材であり、このＣ字溝にクリップ７の係止部２８を係止させ、クリップ７の掛止部２９を野縁受１に引っ掛けて、野縁材５を格子状に取り付ける。そして野縁材５の下面部に内装ボードを止着する。
【００１９】
さて、図５及び図６に示すように、野縁受１を吊ボルト３及びハンガー２によって吊り下げ、平行状態の２つの野縁受１の各中央部の上部に足場板６を載置して、この足場板６に荷重（Ｆ）を加える。このとき野縁受１は荷重によって撓む（δ）。すると、野縁受１の上部立上部１１及び下端縁部１７の２点、上端縁部１６及び下部立上部１４の２点の計４点が、それぞれ接するハンガー２の基板部２１及び側板部２３に強く押しつけられ、さらに撓もうとするが、上部立上部１１と下部立上部１４との間に形成された傾斜部１３の角度を水平から４５度以上の略５０度としているので、効果的に荷重を支え、撓みを防止する役割を果たす。
【００２０】
上記野縁受１の性能を評価する荷重試験を、上記ＪＩＳ  Ａ６５１７の規定に基づいて行った。図７（ａ）は上記野縁受１を、図７（ｂ）はＪＩＳ規格１９形（ＣＣ−１９）の野縁受３１を、図７（ｃ）は一般用として用いられている野縁受３２の形状を示したものである。野縁受としての、高さＡ（Ａ＝３８ｍｍ）、幅Ｂ（Ｂ＝１２ｍｍ）等の基本的な外形のサイズは（ａ），（ｂ），（ｃ）共に同じである。異なる点は、野縁受１の厚さｔは（ｔ＝０．５ｍｍ）であるのに対して、ＪＩＳ１９形の野縁受３１の厚さｔは（ｔ＝１．２ｍｍ）、一般用の野縁受３２の厚さｔは（ｔ＝０．９ｍｍ）である点、及び野縁受１は傾斜部１３及び上下端縁部１６，１７を有する略Ｚ字形状からなる点である。
【００２１】
図９は、上記荷重試験の結果を示したものである。図７（ｃ）の一般用野縁受３２は、最大たわみ量５．４６ｍｍ、残留たわみ量０．３１ｍｍであり、ＪＩＳＡ６５１７の規定値（最大たわみ量５ｍｍ以下）を満たすことができない。これに対して、この実施の形態に係る図７（ａ）の野縁受１は、最大たわみ量４．２７ｍｍ、残留たわみ量０．１６ｍｍであり、ＪＩＳの規定値を満足する。
【００２２】
また、図７（ａ）の野縁受１は、板厚を０．５ｍｍとしているので、１ｍ当りの単位重量は０．２９８８ｋｇ／ｍとなり、図７（ｃ）に示す板厚０．９ｍｍの野縁受３２の単位重量０．４０９６ｋｇ／ｍの７３％となる。このため実施の形態に係る図７（ａ）の野縁受１は、２７％の省資源化が図れ、低コストの天井下地材が提供できる。また、図７（ｂ）に示す板厚１．２ｍｍのＪＩＳ規格の野縁受３１と比較した場合、図７（ａ）の野縁受１は、重量比が５４．６％であり、約４５％の省資源化が図れる。
【００２３】
図８は、野縁受の他の形態を示したものである。この野縁受４１は、高さ（３８ｍｍ）、幅（１２ｍｍ）、及び厚さ（ｔ＝０．５）等の野縁受としての基本的な外形のサイズ、及び傾斜部１３を有するＺ形状である点は、図７（ａ）に示す野縁受１と同じである。この野縁受４１は、傾斜部１３の水平からの角度を略７０度として、野縁受１より大きい角度としている。
【００２４】
この図８に示す野縁受４１について上記荷重試験を行った結果、図９に示すように野縁受４１は最大たわみ量４．８８ｍｍ、残留たわみ量０．５７ｍｍであり、ＪＩＳの規定値を満足する。また、野縁受４１の単位重量は０．２９２２ｋｇ／ｍであり、図７（ｃ）に示す板厚０．９ｍｍの野縁受３２の単位重量０．４０９６ｋｇ／ｍの７１．３％となり、省資源化が図れる。このように野縁受４１は、図７（ａ）の野縁受１に比べてたわみ量の特性は少し劣っているものの、ＪＩＳ規格は満足する。したがって、上記図７（ａ）の野縁受１及び図８の野縁受４１の傾斜部１３の角度からすれば、良好なたわみ量の特性を得るためには、傾斜部１３の水平からの角度は、４５度以上が好適と考えられる。
【００２５】
従って上記実施の形態に係る野縁受によれば、野縁受の板厚を０．５ｍｍと薄くしても、ＪＩＳ  Ａ６５１７の下向き載荷荷重試験の最大たわみ量、残留たわみ量の規格を満たすことができ、十分な強度が維持され、かつＪＩＳ６５１７に規定されている板厚が１．２ｍｍの野縁受（ＣＣ−１９）と比べて材料の大幅な削減が図れ、経済性にも優れ、また板厚が０．９ｍｍの一般品と比較しても材料の削減が図れ、省資源化にも寄与する。また、上記各野縁受は、一枚板からロールフォーミングで形成することが可能であり、このためスタット成形するときに必要なカシメ作業の必要がなく、周長も少なくて済むという利点がある。
【００２６】
【発明の効果】
以上説明したように、本発明に係る天井下地材の野縁受によれば、ハンガーに嵌入支持される野縁受であって、ハンガーの基板部に接する上側の立上部と、水平方向に屈曲形成される上板部と、上側の立上部の下部から斜め下向に形成される傾斜部と、ハンガーの側板部に接する下側の立上部と、上板部と逆向の水平方向に屈曲形成される下板部と、を有するものとしたから、十分な強度が維持され、経済性にも優れるとともに製品の軽量化、省資源化が図れるという効果がある。
【００２７】
また、本発明に係る野縁受によれば、上板部の先端部から下方向きに上端縁部を、下板部の先端部から上方向きに下端縁部を設けたから、強度が補強されるという効果がある。
【００２８】
さらに本発明に係る野縁受によれば、傾斜部の傾斜角度を水平から４５度以上に形成したから、十分な強度が確保できるという効果がある。
【図面の簡単な説明】
【図１】本発明の実施の形態に係る野縁受の構成図である。
【図２】実施の形態に係り、野縁受をハンガーに嵌入した状態を示す図である。
【図３】実施の形態に係り、野縁受をハンガーに嵌入した他の状態を示す図である。
【図４】実施の形態に係り、野縁受に野縁材を取付けた状態を示す図である。
【図５】実施の形態に係り、野縁受に荷重を加えた状態を示す図である。
【図６】実施の形態に係り、野縁受に荷重を加えた状態を示す他の角度からみた図である。
【図７】本発明の実施の形態に係る野縁受（ａ）と、ＪＩＳ（ｂ）及び一般の野縁受（ｃ）との比較図である。
【図８】本発明の実施の形態に係り、野縁受の他の形態を示す図である。
【図９】荷重試験結果を示す表である。
【図１０】野縁受の下向き荷重試験を示す図である。
【符号の説明】
１  野縁受
２  ハンガー
１１  上側の立上部
１２  上板部
１３  傾斜部
１４  下側の立上部
１５  下板部
１６  上端縁部
１７  下端縁部
２１  基板部
２３  側板部
【図１】
0004523102.tif 000002
【図２】
0004523102.tif 000003
【図３】
0004523102.tif 000004
【図４】
0004523102.tif 000005
【図５】
0004523102.tif 000006
【図６】
0004523102.tif 000007
【図７】
0004523102.tif 000008
【図８】
0004523102.tif 000009
【図９】
0004523102.tif 000010
【図１０】
0004523102.tif 000011